(57)【要約】【課題】  青色発光ダイオードの光を蛍光体で赤色に変換して、これをイメージングプレートの消去光として用いることで、小型でかつ十分な光度が得られる消去用光源を用いた放射線画像読取装置を得る。【解決手段】  レーザ光源１２から放出された励起光２２がイメージングプレート１０に当たると、潜像の強度に応じた発光強度の輝尽発光の光２４が放出される。この輝尽発光の光２４は紫外線検出ダイオード２０でその強度が検出される。残存する潜像は消去用の光源２８から放出される消去光３０で消去される。消去用の光源２８は、青色発光ダイオードと、この青色発光ダイオードが発光する青色の光を赤色の光に変換する蛍光体との組み合わせからなる。青色発光ダイオードは発光強度が大きいので、このような消去用光源を用いることで、小型でかつ光度の大きな赤色の消去光が得られる。【選択図】図１
2008262138.tif 000002
【特許請求の範囲】
【請求項１】
次の（ア）乃至（エ）を備える放射線画像読取装置。
（ア）潜像が記録される蓄積性蛍光体。
（イ）前記潜像を読み出すための励起光を前記蓄積性蛍光体に向けて放出する第１の光源。
（ウ）前記励起光が照射された蓄積性蛍光体の領域から出てくる放出光を検出する光検出器。
（エ）残存する前記潜像を消去するための消去光を放出する第２の光源であって、発光強度が最大値となる波長が第１の波長である発光ダイオードと、この発光ダイオードの光を発光強度が最大値となる波長が前記第１の波長よりも長い第２の波長である光に変換する蛍光体との組み合わせからなり、前記励起光が照射されたあとの蓄積性蛍光体の領域に前記消去光を照射するように配置された第２の光源。
【請求項２】
請求項１に記載された放射線画像読取装置において、前記第１の波長が４００〜５００ｎｍの範囲内にあり、前記第２の波長が６００〜７００ｎｍの範囲内にあることを特徴とする放射線画像読取装置。
【請求項３】
請求項１または２に記載された放射線画像読取装置において、前記第１の光源と前記光検出器と前記第２の光源が共通の筐体に収納されていて、この筐体が前記蓄積性蛍光体に対して相対的に移動可能であることを特徴とする放射線画像読取装置。
【請求項４】
請求項１から３までのいずれか１項に記載された放射線画像読取装置において、前記蓄積性蛍光体の形状が帯状であって、帯状の輝尽性蛍光体の長手方向に沿った１次元のデータとして前記潜像が読み取られることを特徴とする放射線画像読取装置。
【請求項５】
請求項４に記載された放射線画像読取装置において、前記蓄積性蛍光体が直線状に延びた帯状であることを特徴とする放射線画像読取装置。
【請求項６】
請求項４に記載された放射線画像読取装置において、前記蓄積性蛍光体が円弧状に湾曲した帯状であることを特徴とする放射線画像読取装置。
【請求項７】
次の（ア）乃至（エ）の段階を備える放射線画像読取方法。
（ア）潜像が記録された蓄積性蛍光体を準備する段階。
（イ）前記潜像を読み出すための励起光を前記蓄積性蛍光体に照射する段階。
（ウ）前記励起光が照射された蓄積性蛍光体の領域から出てくる放出光を検出する段階。
（エ）前記蓄積性蛍光体の前記励起光が照射されたあとの領域に、残存する前記潜像を消去するために消去光を照射する段階であって、発光強度が最大値となる波長が第１の波長である発光ダイオードの光を、発光強度が最大値となる波長が前記第１の波長よりも長い第２の波長である光に変換して、その変換光を前記消去光とする段階。
【請求項８】
請求項７に記載された放射線画像読取方法において、前記第１の波長が４００〜５００ｎｍの範囲内にあり、前記第２の波長が６００〜７００ｎｍの範囲内にあることを特徴とする放射線画像読取方法。
【発明の詳細な説明】
【技術分野】
【０００１】
本発明は、蓄積性蛍光体（輝尽性蛍光体）に蓄積された情報を消去する手段に特徴のある放射線画像読取装置および方法に関するものである。
【背景技術】
【０００２】
ある種の蛍光体に放射線（Ｘ線、α線、β線、γ線、紫外線等）を照射すると、この放射線エネルギーの一部が蛍光体中に蓄積される。この蛍光体に励起光を照射すると、蓄積されたエネルギーに応じて蛍光体が輝尽発光を示すことが知られている。このような性質を示す蛍光体は蓄積性蛍光体または輝尽性蛍光体と呼ばれている。
【０００３】
この蓄積性蛍光体を利用して、Ｘ線回折等の放射線画像情報を蓄積性蛍光体のプレート（以下、イメージングプレートと称する）に記録し、このイメージングプレートをレーザ光等の励起光で走査して輝尽発光の光を生じさせ、得られた輝尽発光の光を光検出器で読み出して画像情報を得ることができる。
【０００４】
また、イメージングプレートを読み取った後に、十分な強度の消去光（基本的には、励起光と同様の波長の光）を照射することにより、イメージングプレートに蓄積された放射線画像情報を消去できる。
【０００５】
この消去のためには、輝尽励起の波長範囲で十分な強度の光を照射することが必要であり、そのための光源として、通常は、蛍光灯やハロゲンランプを用いている。このような消去用光源は比較的大型になるので、読取装置の小型化を必要とする場合には、小型の消去用光源が望まれている。そのような小型の消去用光源として、発光ダイオードを用いることが知られている（特許文献１乃至特許文献３を参照）。
【特許文献１】特開昭６１−８０２３４号公報
【特許文献２】特開平４−２４０６３２号公報
【特許文献３】特開平１１−１１９３５６号公報
【０００６】
特許文献１に記載されている消去用光源は、波長が４００〜６００ｎｍのライン状の発光ダイオードアレイである。この消去用光源は、発熱が少なくてイメージングプレートに近接配置でき、かつ、小型化できる。
【０００７】
特許文献２に記載されている消去用光源は、波長が５００〜８００ｎｍのライン状の発光ダイオードアレイである。実施例では中心波長が６５０ｎｍの発光ダイオードを用いている。
【０００８】
特許文献３に記載されている消去用光源は、波長が６００〜７００ｎｍのライン状の発光ダイオードアレイである。この消去用光源を用いると、イメージングプレートの読取動作と消去動作を同時に実施できる。
【発明の開示】
【発明が解決しようとする課題】
【０００９】
現在実用化されている蓄積性蛍光体は、励起光の波長について考えると、最も良好な輝尽励起感度を有する波長は６００〜７００ｎｍの付近である。可視光の色でいうと、赤色の付近である。したがって、消去用光源として発光ダイオードを使う場合は、赤色の発光ダイオードを使うことになる。上述の特許文献２と特許文献３は赤色の発光ダイオードを使っている例である。
【００１０】
ところが、赤色の発光ダイオードは光度の大きいものが入手できない、という問題がある。現在実用化されている最高光度の赤色発光ダイオードでも、１チップ当たり、動作電流が２０ｍＡ程度で、光度が８０ｍｃｄ（ミリカンデラ）程度である。多数の発光ダイオードチップを並べれば全体の光度が増加するが、消去用光源をできるだけ小型化しようとする場合は、多数のチップを並べることができない。したがって、単一のチップで十分な光度を得るには、赤色の発光ダイオードでは光度不足である。光度が小さいと、蓄積性蛍光体の残存潜像を消去する時間が長くなる、という問題がある。
【００１１】
Ｘ線回折測定データの記録に蓄積性蛍光体を使うことを想定すると、残存潜像の強度は、最大感度に対して少なくとも１万分の１、好ましくは１００万分の１程度まで減らす必要がある。残存潜像の強度を十分に減らさないと、消去済みのイメージングプレートに再び測定データを記録するときのノイズとなって、十分なダイミックレンジが確保できない、という問題がある。十分なダイミックレンジを必要とするイメージングプレートの消去に赤色の発光ダイオードを使うと、長時間の消去時間を取られることになる。潜像の読み出しはきわめて短時間で済むので、潜像の読み出しと消去を同時に実行するシステムを開発するときには、消去に要する時間が、全体の処理時間を短縮する際の障害になる。一方、蛍光灯やハロゲンランプなどの大型の消去用光源を用いれば消去時間は短縮するが、消去用光源の小型化ができないので、潜像の読み出しと消去を同時に実行するシステムにおいては、消去用光源を潜像読取装置に内蔵させるときの障害になる。
【００１２】
本発明は上述の問題点を解決するためになされたものであり、その目的は、小型でかつ十分な光度が得られる消去用光源を用いた放射線画像読取装置および方法を提供することにある。
【課題を解決するための手段】
【００１３】
本発明の放射線画像読取装置は消去用の光源に特徴があり、蓄積性蛍光体と、励起光を放出する第１の光源と、輝尽発光の光を検出する光検出器と、消去光を放出する第２の光源とを備えている。蓄積性蛍光体は潜像が記録されるものである。第１の光源は、潜像を読み出すための励起光を蓄積性蛍光体に向けて放出するものである。光検出器は、励起光が照射された蓄積性蛍光体の領域から出てくる放出光を検出するものである。第２の光源は、残存する潜像を消去するための消去光を放出するものである。この第２の光源は発光ダイオードと蛍光体の組み合わせからなる。発光ダイオードは、発光強度が最大値となる波長が第１の波長である。蛍光体は、発光ダイオードの光を吸収して、発光ダイオードの光を、「発光強度が最大値となる波長が前記第１の波長よりも長い第２の波長である光」に変換する。そして、この第２の光源は、励起光が照射されたあとの蓄積性蛍光体の領域に消去光を照射するように配置される。
【００１４】
上述の第１の波長は４００〜５００ｎｍの範囲内にあることが好ましく、第２の波長は６００〜７００ｎｍの範囲内にあることが望ましい。すなわち、発光ダイオードとしては青色発光ダイオードを用いて、その青色発光ダイオードの光を、蛍光体を用いて赤色の光に変換する。この赤色の光を消去光に用いる。
【００１５】
上述の第１の光源と光検出器と第２の光源は共通の筐体に収納することができる。そして、この筐体を蓄積性蛍光体に対して相対的に移動可能にすることで、潜像の読み取りと消去を同時に実施可能なシステムを作ることができる。
【００１６】
蓄積性蛍光体の形状は帯状にすることができ、その場合、帯状の輝尽性蛍光体の長手方向に沿った１次元のデータとして潜像を読み取ることができる。帯状の輝尽性蛍光体は、直線状であってもよいし、円弧状に湾曲していてもよい。
【００１７】
本発明の放射線画像読取方法は、読取装置と同様に、消去用の光源に特徴があり、次の（ア）乃至（エ）の段階を備えている。（ア）潜像が記録された蓄積性蛍光体を準備する段階。（イ）前記潜像を読み出すための励起光を前記蓄積性蛍光体に照射する段階。（ウ）前記励起光が照射された蓄積性蛍光体の領域から出てくる放出光を検出する段階。（エ）前記蓄積性蛍光体の前記励起光が照射されたあとの領域に、残存する前記潜像を消去するために消去光を照射する段階であって、発光強度が最大値となる波長が第１の波長である発光ダイオードの光を、発光強度が最大値となる波長が前記第１の波長よりも長い第２の波長である光に変換して、その変換光を前記消去光とする段階。
【発明の効果】
【００１８】
本発明は、青色発光ダイオードの光を蛍光体で赤色に変換して、この赤色の光を蓄積性蛍光体の消去光として用いているので、発光強度の大きな青色発光ダイオードの利点を生かして、発光強度が大きくてかつ小型の消去用光源を得ることができる。そのような消去用光源の光を利用して、読み取りと消去を同時に実施可能な放射線画像読取装置及び方法を実現できる。
【発明を実施するための最良の形態】
【００１９】
以下、図面を参照して本発明の実施例を詳しく説明する。図１は本発明の放射線画像読取装置の第１実施例の斜視図である。イメージングプレート１０は、幅が１０ｍｍの細長い帯状をしたものであり、直線状に延びている。このイメージングプレート１０は、Ｘ線回折パターンを１次元のデータとして記録することを想定している。すなわち、イメージングプレート１０の長手方向にＸ線回折角度２θをとって、２θの各角度位置での回折強度を潜像として記録するようにすることを想定している。イメージングプレートの幅方向に分布するデータは、その合計した潜像強度を検出することになる。
【００２０】
潜像を読み取る光学系は、ラインポインタ用のレーザ光源１２と偏向プリズム１４とダイクロイックミラー１６と集光レンズ系１８と紫外線検出ダイオード２０からなる。レーザ光源１２が本発明における第１の光源に相当し、紫外線検出ダイオード２０が本発明における光検出器に相当する。
【００２１】
レーザ光源１２は、波長が６６０ｎｍ（赤色）の半導体レーザであり、出力は１５ｍＷである。このレーザ光源は、光の出射端から５ｃｍ離れたところでの照射断面のサイズが１０ｍｍ×２５μｍとなるように設計されている。すなわち、ライン状の光を放出する。
【００２２】
偏向プリズム１４はレーザ光源１２から放出されたライン状の光２２（励起光である）の進行方向をほぼ直角に曲げるためのものである。
【００２３】
ダイクロイックミラー１６は、励起光２２を透過させ、一方で、蓄積性蛍光体から放出される輝尽発光の光２４（紫外線）を反射するミラーである。ダイクロイックミラー１６は励起光２２の進行方向に対して約４５度の角度をなすように傾斜していて、輝尽発光の光２４の進行方向をほぼ直角に曲げて集光レンズ系１８に向ける働きがある。
【００２４】
集光レンズ系１８は、この実施例では２枚の凸レンズを組み合わせたものであり、輝尽発光の光２４を紫外線検出ダイオード２０の検出領域に集束させる働きがある。
【００２５】
紫外線検出ダイオード２０はＧａＡｓＰフォトダイオードであり、検出する波長領域は３８０〜５８０ｎｍである。検出領域のサイズは０．８ｍｍ角である。
【００２６】
潜像の読取光学系の動作を説明する。レーザ光源１２から放出された励起光２２は、偏向プリズム１４でほぼ直角に進行方向を曲げられてから、ダイクロイックミラー１６を透過して、イメージングプレート１０に当たる。レーザ光源１２の出射端からイメージングプレート１０までの光路の距離は約５０ｍｍであり、イメージングプレート１０の表面では、励起光２２の照射領域２６のサイズは１０ｍｍ×２５μｍとなる。この照射領域２６からは、潜像の強度に応じた発光強度の輝尽発光の光２４が放出される。この輝尽発光の光２４はダイクロイックミラー１６で反射して、その進行方向をほぼ直角に曲げられる。この輝尽発光の光２４は集光レンズ系１８で集束させられて、紫外線検出ダイオード２０でその強度が検出される。
【００２７】
残存潜像を消去する光学系は消去用の光源２８で構成される。この消去用の光源２８が本発明における第２の光源に相当する。消去用の光源２８は、後述するように、青色発光ダイオードと、この青色発光ダイオードが発光する青色の光を赤色の光に変換する蛍光体との組み合わせからなる。消去用の光源２８から放出された消去光３０は、励起光が照射されたあとのイメージングプレートの領域を照射して、残存している潜像を消去する。
【００２８】
潜像の読取光学系と消去光学系は共通の筐体３２に収納されている。この実施例では、イメージングプレート１０は静止していて、筐体３２はイメージングプレート１０の長手方向に沿って移動可能である。すなわち、矢印３４の方向に移動可能である。
【００２９】
３次元の直交座標軸ＸＹＺを図１に示すように定義すると、帯状のイメージングプレート１０はＹ軸に平行に延びていて、その幅方向はＸ軸に平行である。イメージングプレート１０の記録面はＸＹ平面に平行である。励起光２２はＸ軸に平行に進行して、その後、Ｚ軸に平行になるように向きを変える。輝尽発光の光２４はＺ軸に平行に進行して、その後、Ｘ軸に平行になるように向きを変える。筐体３２はＹ軸に平行に移動する。
【００３０】
この放射線画像読取装置の全体の動作を説明する。まず、潜像が記録されたイメージングプレート１０を準備する。このイメージングプレート１０は、別の場所で潜像を記録したものを放射線画像読取装置にセットしてもよいし、潜像を読み取り可能な位置のままで潜像記録作業を実施してもよい。後者の場合は、潜像記録作業（例えば、Ｘ線回折測定によってイメージングプレートに回折パターンを記録する作業）のときは、読取光学系と消去光学系とを収容した筐体３２を、記録作業の邪魔にならない位置まで待避させておく。
【００３１】
筐体３２をイメージングプレート１０の読取開始位置まで動かしてから、筐体３２を矢印３４の方向に動かしながら、読取作業と消去作業を同時に実施する。具体例を説明すると、筐体３２は矢印３４の方向に、１ミリ秒の時間間隔で２５μｍずつステップ移動する。そして、１ミリ秒の読取周期のうちの６８０マイクロ秒の間だけ、レーザ光源１２から励起光２２を照射する。レーザ光源のパワーは約３０ｍＷである。励起光２２が照射された照射領域２６からは潜像の強度に応じた輝尽発光の光２４が放出され、その強度が５桁程度のダイナミックレンジをもって紫外線検出ダイオード２０で検出される。したがって、この実施例では、イメージングプレート上の潜像を２５μｍの位置分解能で１次元データとして読み取ることになる。
【００３２】
照射領域２６のすぐ後ろ側（進行方向３４から見た後ろ側）には消去用の光源２８があり、ここから消去光３０が照射される。消去光３０は連続点灯の状態であり、筐体３２が矢印方向３４に移動することで、励起光が照射されたイメージングプレートの領域の上を消去光３０が通過していく。これにより、読取作業と同時に消去作業が行われる。消去光３０の照射により、読取作業で残存した潜像がほぼ完全に消去される。
【００３３】
図２（Ａ）は消去用の光源の具体例の側面断面図である。この消去用の光源は、青色発光ダイオードと、青色の光を赤色の光に変換する蛍光体との組み合わせからなるものであり、この種の光源は次の特許文献４に開示されている。
【特許文献４】特開２００５−２３５９３４号公報
【００３４】
図２（Ａ）において、アルミナセラミックス製の基板３６に２本のリードワイヤ３８，４０が固定されている。一方のリードワイヤ３８の端部には青色発光ダイオード素子４２が固定されている。青色発光ダイオード素子４２の下部電極は導電性ペーストによってリードワイヤ３８に電気的に接続されている。青色発光ダイオード素子４２の上部電極は金細線４４によって他方のリードワイヤ４０に電気的に接続されている。青色発光ダイオード素子４２の周囲は、蛍光体粉末が分散された透明なエポキシ樹脂４６で覆われている。樹脂４６に分散された蛍光体粉末の材質は、ＣａＡｌＳｉＮ３結晶相を主体とする窒化物である。この蛍光体は、青色発光ダイオード素子４２からの青色の光を吸収して、赤色の光を発する。青色発光ダイオード素子４２が放出する光のピーク波長（発光強度が最大値となる波長）は４６０ｎｍであり、蛍光体が放出する光のピーク波長は６５３ｎｍである。上述の４６０ｎｍが本発明における第１の波長に相当し、６５３ｎｍが本発明における第２の波長に相当する。
【００３５】
基板３６上には壁面部材４８が固定されている。壁面部材４８の中央部には空所があり、空所の内面は湾曲した反射面５０になっている。蛍光体からの赤色の光は反射面５０で反射して図２（Ａ）の上方に向かうようになっている。壁面部材４８は白色のシリコーン樹脂で形成されている。空所の内部は透明なエポキシ樹脂５２で満たされている。
【００３６】
図２（Ｂ）は消去用の光源の別の例の側面断面図である。図２（Ａ）の光源と異なる点は、青色発光ダイオード素子４２の周囲には、蛍光体粉末が分散された樹脂は存在せずに、壁面部材４８の外側に、蛍光体粉末が分散された透明なエポキシ樹脂からなるカバー５４が配置されていることである。このような構成でも、図２（Ａ）と同様の消去光を放出することができる。
【００３７】
図３は図２（Ａ）に示す消去用の光源の発光スペクトルである。青色発光ダイオードの放出する青色の光のスペクトル５６と、蛍光体が放出する赤色の光のスペクトル５８が現れる。青色発光ダイオードの青色の光は、蛍光体に吸収されて赤色に変換されるが、青色の光の一部は、蛍光体粉末が分散された透明樹脂を透過して、外部に抜けてくる。その光がスペクトル５６である。この青色の光のピーク波長は４６０ｎｍである。この青色のスペクトルも潜像の消去に役立つので、そのまま消去光の一部として利用する。青色の光は、潜像を消去するには効率の悪い波長領域ではあるが、多少は消去に寄与する。なお、波長が４００ｎｍ以下の光になると、イメージングプレートを記録する（潜像を形成する）作用が出てくるので、そのような波長の短い光を消去光として用いることは適切ではない。
【００３８】
赤色の光のピーク波長は６５３ｎｍである。この赤色の光のスペクトル５８は、青色の光のスペクトル５６と比較して、ブロードな（すなわち、半値幅の大きい）スペクトルとなっている。青色発光ダイオード素子は、赤色発光ダイオード素子と比較して、２桁程度も発光光度の大きな光を放出できるので、青色発光ダイオード素子の光を蛍光体で赤色に変換して赤色の光を得ることにより、赤色発光ダイオード素子を使った場合と比較して、２桁程度、発光光度の大きい赤色の光を得ることができる。例えば、赤色発光ダイオード素子は定格電流が２０ｍＡ程度であるが、青色発光ダイオード素子は定格電流が２Ａ程度である。
【００３９】
上述のように、青色発光ダイオードの光を蛍光体で赤色に変換してからこれを消去光とすることで、小型の光源を用いて発光強度の大きな赤色の光を得ることができ、短時間でイメージングプレートを十分に消去できる。実施例では、１ミリ秒当たり２５μｍの進行速度で（すなわち、１秒当たり２５ｍｍの範囲を）、最大感度の１万分の１以下の残像強度まで、十分に消去できる。
【００４０】
図４はイメージングプレートの輝尽励起感度スペクトルと消去光のスペクトルを比較したグラフである。使用したイメージングプレートの輝尽発光励起スペクトル６０は、６３０〜６４０ｎｍ付近の波長をピークとしたなだらかなスペクトルである。本発明の実施例で使用した消去光の赤色付近のスペクトル５８は、ピーク波長が６５３ｎｍの比較的なだらかなスペクトルである。この消去光を用いてイメージングプレートを効率的に消去することができる。参考までに、市販の赤色発光ダイオードのスペクトル６２の一例を示す。この赤色発光ダイオードのスペクトルの位置は、輝尽励起感度スペクトル６０の最高感度のところに一致しているので、この赤色発光ダイオードを用いて当該イメージングプレートを効率的に消去できることは間違いない。ただし、その発光強度が弱いために、消去に時間がかかるのが難点である。なお、図４のグラフは、三つのスペクトルについて、それぞれ、最大強度が１．０になるように規格化したものであり、スペクトルの形に意味がある。実際の発光強度で比較すると、本発明の実施例で得られる消去光のスペクトル５８の発光強度は、赤色発光ダイオードのスペクトル６２の発光強度よりも２桁程度大きい。
【００４１】
図５は本発明の放射線画像読取装置の第２実施例の斜視図である。この第２実施例が第１実施例と異なる点は、帯状のイメージングプレート１０が円弧状に湾曲していることである。円弧状に湾曲しているイメージングプレート１０は、Ｘ線回折測定における粉末回折パターンのデータを記録するのに好都合である。このような湾曲したイメージングプレートを読み取るには、読取光学系と消去光学系を搭載した筐体３２を、湾曲した搬送機構に沿って移動させることが好ましい。筐体３２に搭載した読取光学系と消去光学系は、図１で説明した第１実施例のものと同じである。
【図面の簡単な説明】
【００４２】
【図１】本発明の放射線画像読取装置の第１実施例の斜視図である。
【図２】消去用の光源の具体例の側面断面図である。
【図３】消去用の光源の発光スペクトルである。
【図４】イメージングプレートの輝尽励起感度スペクトルと消去光のスペクトルを比較したグラフである。
【図５】本発明の放射線画像読取装置の第２実施例の斜視図である。
【符号の説明】
【００４３】
１０  イメージングプレート
１２  レーザ光源（第１の光源）
１４  偏向プリズム
１６  ダイクロイックミラー
１８  集光レンズ系
２０  紫外線検出ダイオード（光検出器）
２２  励起光
２４  輝尽発光の光
２６  照射領域
２８  消去用の光源（第２の光源）
３０  消去光
３２  筐体
４２  青色発光ダイオード素子
４６  蛍光体粉末を分散させた樹脂
５６  青色発光ダイオードの放出する光のスペクトル
５８  蛍光体の放出する光のスペクトル
【図１】
2008262138.tif 000003
【図２】
2008262138.tif 000004
【図３】
2008262138.tif 000005
【図４】
2008262138.tif 000006
【図５】
2008262138.tif 000007